(57)【特許請求の範囲】
【請求項１】
輸送キャリアの移動ステージ可動領域の囲み構造であって、
フレーム（1）と、
フレーム（1）に設置され、対向して配置された第１ハウジング部（21）と第２ハウジング部（22）とを有するハウジング（2）と、
移動ステージ（3）と連結された囲み部材（4）と、
前記フレーム（1）に設置され、前記囲み部材4を移動ステージ（3）の移動方向に移動可能となるように支持する支持部材（50）と、を含み、
前記第１ハウジング部（21）と前記第２ハウジング部（22）との間に前記移動ステージ（3）の可動領域が形成され、
前記囲み部材（4）は、接続部材（441）と、前記接続部材（441）によって平行に並列配置された複数の棒状部材（442）を含み、
前記接続部材（441）は、隣接する前記棒状部材（442）に両端がそれぞれ回転可能に接続された接続ブロックであり、
前記囲み部材（4）は、第１囲み部材（431）と第２囲み部材（432）とに分けられ、
前記第１囲み部材（431）の一端と前記第２囲み部材（432）の一端は両方とも、前記移動ステージ（3）の対応する側に接続され、前記第１囲み部材（431）の他端と前記第２囲み部材（432）の他端が接続されることによって、前記第１囲み部材（431）と前記第２囲み部材（432）と前記移動ステージ（3）との間でクローズ・ループ状態が形成されている、ことを特徴とする輸送キャリアの移動ステージ可動領域の囲み構造。
【請求項２】
前記輸送キャリアは、斜め上向きおよび斜め下向きのリフト輸送を実現する廊下エレベータである、ことを特徴とする請求項１に記載の輸送キャリアの移動ステージ可動領域の囲み構造。
【請求項３】
前記囲み構造は、前記第１囲み部材（431）の移動を案内するための第１ガイド・アセンブリをさらに含み、前記第１ガイド・アセンブリは、第１囲み部材（431）に下向きの圧力を付加するための押圧部材を含む、ことを特徴とする請求項１に記載の輸送キャリアの移動ステージ可動領域の囲み構造。
【請求項４】
前記支持部材（50）は、前記第１囲み部材（431）に対応して設置された第１支持部材（501）と、前記第２囲み部材（432）に対応して設置された第２支持部材（502）とを含み、
前記押圧部材は前記第１支持部材（501）に設置されている、ことを特徴とする請求項３に記載の輸送キャリアの移動ステージ可動領域の囲み構造。
【請求項５】
前記囲み構造は、前記第２囲み部材（432）の移動を案内するための第２ガイド・アセンブリをさらに備え、前記第２ガイド・アセンブリは、第２囲み部材（432）に上向きの支持力を提供するための支持部材を含む、ことを特徴とする請求項１に記載の輸送キャリアの移動ステージ可動領域の囲み構造。
【請求項６】
前記囲み部材は、少なくとも１つの接続部材（441）と、前記接続部材（441）によって平行に並列配置された棒状部材（442）を含む、ことを特徴とする請求項１〜５のいずれか一項に記載の輸送キャリアの移動ステージ可動領域の囲み構造。
【請求項７】
請求項１〜５のいずれか一項に記載の囲み構造を含む、ことを特徴とする輸送キャリア。
【発明の詳細な説明】
【技術分野】
【０００１】
本発明は、機械の分野に関し、特に、輸送キャリアおよびその移動ステージ可動領域の囲み構造および囲み部材に関する。
【背景技術】
【０００２】
従来技術として、特許文献１において、以下のリレー式廊下エレベータが開示されている。当該リレー式廊下エレベータは、廊下の斜面方向に沿って配置されたはしご枠を備え、上部レール、下部レール、レールカー、牽引装置、囲み装置及びコントロールシステムが前記はしご枠に設置され、前記牽引装置はレールカーを走行させ、レールカーがペダルを有し、ペダルは作業状態ではしご枠の側面に展開され、レールカーと一緒に移動して人々を運ぶ。
【先行技術文献】
【特許文献】
【０００３】
【特許文献１】中国発明特許出願公開公報第１０１１２５６２２Ａ号明細書
【発明の概要】
【発明が解決しようとする課題】
【０００４】
従って、はしご枠の側面にはレールカーとペダルが容易に通過するための領域が設けられており、当該領域は運行中、通常は開いている状態なので、外からの異物がこの領域を通ってはしご枠内に入りやすい。特に小さな動物はこの領域を通してはしご枠内に入りやすく、子供の腕もこの領域を通してはしご枠内に入ることができるので、高い安全上の危険がある。
【課題を解決するための手段】
【０００５】
本発明は、輸送キャリアの移動ステージ可動領域の囲み構造を提供し、移動ステージ可動領域の有効な閉鎖を容易にし、これによって安全性の向上を促進することを目的とする。
【０００６】
上記目的を達成するために、本発明は以下の技術的手段を提供する。輸送キャリアの移動ステージ可動領域の囲み構造であって、フレームと、フレームに設置され、対向して配置された第１ハウジング部と第２ハウジング部とを有するハウジングと、移動ステージと連結された囲み部材と、前記フレームの両側に設置され、前記囲み部材を移動ステージの移動方向に支持する支持部材とを含み、前記第１ハウジング部と前記第２ハウジング部との間に前記移動ステージの可動領域が形成される。
【０００７】
囲み部材は移動ステージと連動し、移動ステージの移動に応じてストレッチ動作および/または収縮動作を実行することにより、移動ステージが移動する時であっても可動領域を閉鎖することができる。
【０００８】
本発明の好ましい実施形態として、前記囲み部材は、第１囲み部材と第２囲み部材とに分けられており、前記第１囲み部材の一端と第２囲み部材の一端は両方とも、前記移動ステージの対応する側に接続され、前記第１囲み部材の他端と第２囲み部材の他端は接続されることにより、第１囲み部材と第２囲み部材と移動ステージとの間にクローズ・ループ状態が形成される。
【０００９】
本発明の好ましい実施形態として、前記囲み部材は、一端が前記移動ステージに連結され、他端が前記支持体に接続されている伸縮体で、前記支持体は前記フレームに固定されている接続コラムである。
【００１０】
本発明の好ましい実施形態として、前記支持部材は、前記フレームに回転可能に接続された巻取ローラーで、前記囲み部材は、一端が移動ステージに接続され、巻取ローラーに巻き付け可能な閉鎖テープである。
【００１１】
本発明の好ましい実施形態として、前記輸送キャリアは、斜め上向きおよび斜め下向きのリフト輸送を実現する廊下エレベータである。当該廊下エレベータの全体の動作原理は、背景技術に記載された廊下エレベータと類似してもよい。
【００１２】
本発明の好ましい実施形態として、前記囲み構造は、前記第１囲み部材の移動を案内するための第１ガイド・アセンブリをさらに含み、前記第１ガイド・アセンブリは、第１囲み部材に下向きの圧力を付加するための押圧部材を含む。
【００１３】
この形態は、斜め上向きおよび斜め下向きにリフト輸送する廊下エレベータに特に適しており、押圧部材は輸送キャリアの比較的低い端に配置されている。
【００１４】
本発明の好ましい実施形態において、前記支持部材は、前記第１囲み部材に対応して設置された第１支持部材と、前記第２囲み部材に対応して設置された第２支持部材とを含み、前記押圧部材は前記第１支持部材に設置されている。
【００１５】
本発明の好ましい実施形態において、前記囲み構造は、前記第２囲み部材の移動を案内するための第２ガイド・アセンブリをさらに備え、前記第２ガイド・アセンブリは、第２囲み部材に上向きの支持力を提供するための支持部材を含む。
【００１６】
この形態は、斜め上向きおよび斜め下向きにリフト輸送する廊下エレベータに特に適しており、前記押圧部材は輸送キャリアの比較的に高い端に配置されている。
【００１７】
本発明の好ましい実施形態において、前記第１ガイド・アセンブリは、前記フレームに設置され、前記第１囲み部材の移動をガイドするための上部ガイド部材を含み、且つ前記上部ガイド部材は前記第１囲み部材に対して下向きの圧力を付加する上壁を有する。
【００１８】
本発明の好ましい実施形態において、前記第２ガイド・アセンブリは、前記フレームに設置され、前記第２囲み部材の移動をガイドするための下部ガイド部材を含み、且つ前記下部ガイド部材は前記第２囲み部材に対して上向きの支持力を提供する底壁を有する。
【００１９】
本発明の別の目的は、前記形態のいずれか一つに記載の囲み構造に適用する囲み部材を提供することである。前記囲み部材は少なくとも１つの接続部材と、前記接続部材によって平行に並列配置された複数の棒状部材を含む。
【００２０】
棒状部材の長手方向が移動ステージの移動方向に対して垂直でない時、棒状部材は回転可能に接続部材に接続される。
【００２１】
本発明のさらなる目的は、前記形態のいずれか一つに記載の囲み構造を含む輸送キャリアを提供することである。
【００２２】
要約すると、本発明は以下の有益効果を有する。構造が簡単で、実施が容易で、移動ステージの可動領域を効果的に閉鎖することにより、潜在的な安全上の危険性の低減に寄与し、使用時の安全性を向上させる。且つ、本発明が輸送キャリアに適用されると、運行安定性がよく、信頼性が高く、外観が美しい。
【図面の簡単な説明】
【００２３】
【図１】実施例１の概略図である。
【図２】実施例１における囲み部材と、移動ステージと、支持部材との間の接続概略図である。
【図３】実施例２における囲み部材と、移動ステージと、支持部材との間の接続概略図である。
【図４】実施例３における囲み部材と、移動ステージと、支持部材との間の接続概略図である。
【図５】実施例６の概略図である。
【図６】実施例６における第１支持部材の概略図である。
【図７】実施例６における第２支持部材の概略図である。
【図８】実施例６における第１支持部材の他の形態の概略図である。
【図９】実施例６における囲み部材と、移動ステージと、支持部材との間の接続概略図である。
【図１０】実施例６における第２支持部材の他の形態の概略図である。
【図１１】実施例６における上部ガイド部材の概略図である。
【図１２】実施例６における下部ガイド部材の概略図である。
【図１３】実施例６における弧状移行部の概略図である。
【図１４】実施例６における第２囲み部材の概略図である。
【図１５】実施例６における第１囲み部材の概略図である。
【図１６】実施例６における第１囲み部材と第２囲み部材との接続概略図である。
【図１７】実施例７の概略図である。
【発明を実施するための形態】
【００２４】
以下、添付の図面を参照しながら、本発明についてさらに具体的に説明する。なお、本実施形態は、本発明の一の説明に過ぎず、本発明を限定するものではない。当業者は本明細書を読んだ後、必要に応じて本発明の趣旨を変えない範囲で変更することが可能であるが、本発明の保護範囲に属する限り、特許法によって保護される。
【実施例１】
【００２５】
図１〜２に示すように、輸送キャリアの移動ステージ可動領域の囲み構造は、フレームを含み、フレームにはハウジング2が設置され、ハウジング2の上端には対向して設けられている第１ハウジング部21と第２ハウジング部22を有する。第１ハウジング部21と第２ハウジング部22との間には空間がある。移動ステージ3は、被輸送物や人を回転させるステージ31と、ハウジング2内に位置してステージ31を移動させる移動フレーム32と、ステージ31と移動フレーム32との間に接続される接続部33とを備える。ステージ31は第１ハウジング部21と第２ハウジング部22の上方に配置され、第１ハウジング部21と第２ハウジング部22との間の空間は、接続部33の可動領域23、すなわち移動ステージ3の可動領域23を形成する。
【００２６】
フレームの両端に支持部材が設置され、本実施例の支持部材は巻取ローラー52である。巻取ローラー52には囲み部材4が巻き付けられ、囲み部材4の一端はテンション・ローラー61を経て移動フレーム32に接続されている。囲み部材4は帯状に形成されている。
【実施例２】
【００２７】
実施例1と異なる点としては、図３に示すように、囲み部材4と移動フレーム32とがクローズ・ループ状態を形成し、支持部材は、フレームの両端に設置され囲み部材4を張設するためのテンション・ローラー61である。
【実施例３】
【００２８】
実施例１と異なる点としては、図４に示すように、囲み部材4は複数のスリーブ状のスリーブ・ジョイント41からなり、支持部材は、フレームの両端に設置されている接続コラム51である。囲み部材4の一端は接続コラム51に接続され、他端は移動フレーム32に接続され、囲み部材4は移動フレーム32の移動に応じて伸縮する。スリーブ・ジョイント41内には、隣接するスリーブ・ジョイント41を押すまたは引く位置限定構造を設置してもよい。
【実施例４】
【００２９】
実施例３と異なる点としては、囲み部材4は弾性伸縮バンドである。
【実施例５】
【００３０】
実施例１〜４と異なる点としては、第１ハウジング部21と第２ハウジング部22はフレームの片側に位置し、ステージ31もフレームの当該側に位置する。
【実施例６】
【００３１】
図５〜１６に示すように、輸送キャリアの移動ステップ可動領域の囲み構造は、フレーム1を含み、フレーム1にハウジング2が設置され、フレーム1の片側に位置するハウジング2は、上方の第１ハウジング部21と下方の第２ハウジング部22を有し、第１ハウジング部21と第２ハウジング部22の間の領域は移動ステージ3の可動領域を形成する。
【００３２】
本実施例の輸送キャリアは、斜め上方及び斜め下方への輸送を行うために使用される廊下エレベータであり、その動作原理は、従来技術で説明した廊下エレベータと類似する。囲み部材4の構造は、図１４または図１５に示すように、少なくとも１つの接続部材441と、接続部材441に沿って平行に配置された複数の棒状部材442とを備えている。本実施例の接続部材441は2つである。
【００３３】
本実施例において、囲み部材4は、第１囲み部材431と第２囲み部材432からなり、第１囲み部材431の一端および第２囲み部材432の一端は、それぞれ移動ステージ3の対応する側に接続され、第１囲み部材431の他端および第２囲み部材432の他端は相互接続されることにより、クローズ・ループ状態を形成する。
【００３４】
廊下エレベータでは、フレーム1の廊下での占有面積を小さくするために、比較的に低い一端に位置する第１囲み部材431の棒状部材442は、移動ステージ3の移動方向に対して傾斜して配置され、即ち、棒状部材442は、図１５に示すように、水平面に対してほぼ垂直であってもよい。
【００３５】
フレーム1の両端には、対応する囲み部材4を移動ステージ3の移動方向に支持する支持部材50がそれぞれ配置され、第１囲み部材431に対応して設置されているのは第１支持部材501であり、第２囲み部材432に対応して設置されているのは第２支持部材502である。
【００３６】
より良好な動作のために、フレーム1には、第１囲み部材431の移動を案内するための第１ガイド・アセンブリと、第２囲み部材432の移動を案内するための第２ガイド・アセンブリとが設けられている。
【００３７】
第１ガイド・アセンブリは、第１囲み部材431に下向きの圧力を加えて走行安定性をさらに向上させるための押圧部材を含む。
【００３８】
本実施例において、図６に示すように、第１支持部材501は、上下二組に配置されているホイールセットであり、押圧部材は、上方に位置するホイールセットに配置されてもよく、具体的に当該ホイールセットの各ホイールに設けられている第１ステップ50111であり、当該第１ステップ50111が位置する平面は、移動ステージ3の移動方向と平行である。
【００３９】
さらに、下方に位置するホイールセットに、第１囲み部材431に上向きの支持力を提供するステップ（図示なし）を設けることも可能である。
【００４０】
さらに、第１ガイド・アセンブリは、上部ガイド部材512をさらに含み、上部ガイド512は溝の形態で、第１囲み部材431の棒状部材442の上端は、上部ガイド部材512の溝口内に収まり、動作の安定性をさらに向上させる。溝口の上壁5121は、棒状部材442に下向きの圧力を加えることができる。
【００４１】
第１ステップ50111は、第１囲み部材431に下向きの圧力を加える形態として、第１ステップ50111のステップ面は、接続部材441の上端面に直接的に接触してもよいし、棒状部材442の上端面に直接的に接触してもよく、または同じ役割を果たすことができる他の形態であってもよい。
【００４２】
第２囲み部材432の棒状部材442は、図１４に示すように、長手方向は移動ステージ3の移動方向と直交する方向であってもよい。図７に示すように、第２支持部材502は上下二組のホイールセットであってもよい。第２ガイド・アセンブリは下部ガイド部材521を含み、下部ガイド部材521は溝の形態であり、第２囲み部材432の棒状部材442の下端は、下部ガイド部材521の溝口内に収まり、溝口の底壁5211は、棒状部材442に上向きの圧力を加えることができる。動作の安定性をさらに向上させるために、対応するステップを第２支持部材502に設けて、第２支持部材502で第２囲み部材432を支持することができる。
【００４３】
より良好な動作のために、上部ガイド部材512は第２支持部材502まで延在し、下部ガイド部材521は第１支持部材501まで延在してもよい。これによって、第１囲み部材431の下端が下部ガイド部材521の溝口内に収まり、第２囲み部材432の上端が上部ガイド部材512の溝口内に収まりことができる。
【００４４】
均等の変形例として、図８に示すように、第１支持部材501は一本の回転ローラーの形態でよく、第２支持部材502も回転ローラーの形態でよい。
【００４５】
第１囲み部材431、第２囲み部材432、移動ステージ3、第１支持部材501及び第２支持部材502の位置関係は図９に示されている。
【００４６】
適切な張力を有するために、第１囲み部材431と第２囲み部材432との間の接続は、図１６に示すように、ばねによって接続されてもよい。
【００４７】
支持部材50が上部ガイド部材512と下部ガイド部材521との間にさらに弧状移行部531が設けられている。弧状の移行部531も溝の形態であり、図１３に示すように、ガイド部材に一体的に接続することができる。
【００４８】
良好な動作のために、棒状部材442の両端にローラー（図示なし）を設けることにより、対応するガイド部材に接触してもよい。
【００４９】
別の形態として、第２囲み部材432の棒状部材442の長手方向は、移動ステージ3の移動方向、即ち、水平面に対して略垂直であってもよく、このとき、より良好な動作のために、第２支持部材502の下端には、第２囲み部材432に対して上向きの支持力を提供することができる支持部材521を設けることができる。図１０に示すように、支持部材521は、第２支持部材502に配置された第２ステップ5021であり、第２ステップのステップ面は移動ステージ3の移動方向と平行である。
【００５０】
他の形態として、第１囲み部材431の棒状部材442の長手方向は、移動ステージ3の移動方向に対して垂直に設定されてもよい。
【実施例７】
【００５１】
図１７に示すように、囲み部材は、接続部材441と、接続部材441によって平行並列に配置された複数の棒状部材442とを含み、接続部材441は、隣接する棒状部材442に両端がそれぞれ回転可能に接続された接続ブロックであってもよい。
【実施例８】
【００５２】
輸送キャリアは実施例１〜６のいずれか一つを含む。当該輸送キャリアは、廊下エレベータに限定されず、単なる廊下エレベータとして具体化されることが特に適切である。
【符号の説明】
【００５３】
1  フレーム
2  ハウジング
21  第１ハウジング部
22  第２ハウジング部
23  可動領域
3  移動ステージ
31  ステージ
32  移動フレーム
33  接続部
4  囲み部材
41  スリーブ・ジョイント
431  第１囲み部材
432  第２囲み部材
441  接続部材
442  棒状部材
50  支持部材
501  第１支持部材
5011  ホイール
50111  第１ステップ
502  第２支持部材
5021  第２ステップ
51  接続コラム
512  上部ガイド部材
5121  上壁
52  巻取ローラー
521  下部ガイド部材
5211  底壁
531  弧状移行部
61  テンション・ローラー
【図１】
0006752280.tif 000002
【図２】
0006752280.tif 000003
【図３】
0006752280.tif 000004
【図４】
0006752280.tif 000005
【図５】
0006752280.tif 000006
【図６】
0006752280.tif 000007
【図７】
0006752280.tif 000008
【図８】
0006752280.tif 000009
【図９】
0006752280.tif 000010
【図１０】
0006752280.tif 000011
【図１１】
0006752280.tif 000012
【図１２】
0006752280.tif 000013
【図１３】
0006752280.tif 000014
【図１４】
0006752280.tif 000015
【図１５】
0006752280.tif 000016
【図１６】
0006752280.tif 000017
【図１７】
0006752280.tif 000018